(57)【特許請求の範囲】
【請求項１】
筒状体とハンガー部とを組合せてなるハンガーボックスであって、
筒状体は、前記ハンガー部に吊り下げられた衣類を収納する断面矩形の有底中空体であり、上端開口部に対をなす前フラップと後フラップとを有し、未使用状態では折り畳まれており、使用時に箱型形状に押し広げられ、箱型形状をなす筒体の底部は封止され、
前記対をなす前フラップと後フラップとは、前記筒状体の上端開口部の対向縁に付設され、該上端開口部を封止するものであり、
ハンガー部は、前記筒状体の上部空間内に吊下支持されるものであり、サイドフラップの対と紙管とを有し、
前記対をなすサイドフラップは、前記筒状体の上端開口部の対向縁に付設され、少なくとも２重に折り込まれて前記筒状体の内側に折り曲げられたものであり、紙管支持用の切込みを有し、
前記紙管支持用切込みは、前記サイドフラップの折り込まれた部分に設けられ前記筒状体の内側に折り曲げられるものであり、
前記紙管は、サイドフラップの紙管支持用切込みに端部が嵌合されて対をなすサイドフラップ間に横架され、ハンガーのフックが引掛けられるものであることを特徴とするハンガーボックス。
【請求項２】
サイドフラップには、少なくとも２本以上の折曲線が付され、折曲線に沿って内側に２重又は３重以上に折り曲げられているものであることを特徴とする請求項１に記載のハンガーボックス。
【請求項３】
前記対をなすサイドフラップは、内側に折り込まれる回数に対応して、前記紙管の支持点を筒状体の内側に移動させるものであることを特徴とする請求項１に記載のハンガーボックス。
【請求項４】
前記対をなす前フラップと後フラップとは、前端縁が前記サイドフラップの差込溝に嵌合されるものであることを特徴とする請求項１に記載のハンガーボックス。
【請求項５】
前記筒状体は、前フラップが付設された端面部が斜めの折曲線に沿って外側に横向きに折り曲げられ、該端面部が開閉するものであることを特徴とする請求項１に記載のハンガーボックス。
【発明の詳細な説明】
【０００１】
【産業上の利用分野】
本発明は、引越等の際に衣類を吊り下げたままで運搬するのに適した簡易構造のハンガーボックスに関する。
【０００２】
【従来の技術】
従来、この種のハンガーボックは図１１及び図１２に示すように、筒状体１とハンガー部２とを組合せた構造からなっている。
【０００３】
図に示すように、従来のハンガーボックスは、筒状体１が段ボールから構成されており、ハンガー部２としてスチール又はプラスチックのパイプを用いていた。パイプ２を筒状体１に取付けるにあたっては、図１１に示す従来例では、パイプ２の両端にクランプ３を取付け、クランプ３を筒状体１の上端開口縁１ａの切込み１ｂに差込んでパイプ２を筒状体１の対向する端縁間に横架させていた。
【０００４】
また図１２に示す従来例では、筒状体１の上端開口縁１ａに通孔１ｃを開口し、通孔１ｃを介してプラグ４をパイプ２に嵌合しパイプ２を横架させていた。
【０００５】
この種のハンガーボックス内に衣類を収納するにあたっては、ハンガーのフックをパイプ２に引掛け、衣類をハンガーに吊り下げて筒状体１内に収納させており、パイプ２には衣類の重量が加重される。
【０００６】
【発明が解決しようとする課題】
従来のハンガーボックスは、パイプ２の両端を筒状体１の上端開口縁１ａに固定する構造であるため、筒状体１にはパイプ２の支持部分に集中的に荷重が加わることとなり、この荷重に対する耐久性を得るためには、筒状体１に板厚の厚い段ボールを用いる必要がある。
【０００７】
したがって、ハンガーボックス自体の重量が重くなり、その取扱いに不便を来す。また板厚の厚い段ボールを用いることにより、材料費がコストアップしてしまう。さらに、パイプ２としてプラスチック又はスチール製のものを用いているため、使用済のハンガーボックスを処分するには、筒状体１とハンガー部５とに分解して廃棄処分しなければならなかった。
【０００８】
本発明の目的は、軽量化を図るとともに、使用済後の廃棄処分を容易にしたハンガーボックスを提供することにある。
【０００９】
【課題を解決するための手段】
上記目的を達成するため、本発明によるハンガーボックスにおいては、筒状体とハンガー部とを組合せてなるハンガーボックスであって、
筒状体は、前記ハンガー部に吊り下げられた衣類を収納する断面矩形の有底中空体であり、上端開口部に対をなす前フラップと後フラップとを有し、未使用状態では折り畳まれており、使用時に箱型形状に押し広げられ、箱型形状をなす筒体の底部は封止され、
前記対をなす前フラップと後フラップとは、前記筒状体の上端開口部の対向縁に付設され、該上端開口部を封止するものであり、
ハンガー部は、前記筒状体の上部空間内に吊下支持されるものであり、サイドフラップの対と紙管とを有し、
前記対をなすサイドフラップは、前記筒状体の上端開口部の対向縁に付設され、少なくとも２重に折り込まれて前記筒状体の内側に折り曲げられたものであり、紙管支持用の切込みを有し、
前記紙管支持用切込みは、前記サイドフラップの折り込まれた部分に設けられ前記筒状体の内側に折り曲げられるものであり、
前記紙管は、サイドフラップの紙管支持用切込みに端部が嵌合されて対をなすサイドフラップ間に横架され、ハンガーのフックが引掛けられるものである。
【００１０】
また、サイドフラップには、少なくとも２本以上の折曲線が付され、折曲線に沿って内側に２重又は３重以上に折り曲げられているものである。
【００１２】
また、前記対をなすサイドフラップは、内側に折り込まれる回数に対応して、前記紙管の支持点を筒状体の内側に移動させるものである。
【００１３】
また、前記対をなす前フラップと後フラップとは、前端縁が前記サイドフラップの差込溝に嵌合されるものである。
【００１４】
また、前記筒状体は、前フラップが付設された端面部が斜めの折曲線に沿って外側に横向きに折り曲げられ、該端面部が開閉するものである。
【００１５】
【作用】
筒状体の対をなすサイドフラップを該筒状体の内側に折曲げて少なくとも２層構造とすることにより、筒状体のハンガー部を支持する部分の強度を補強し、ハンガーボックスの素材の板厚を厚くすることなく、衣類の荷重に耐え得る構造とする。
【００１６】
さらに対をなすサイドフラップを少なくとも２重に折り込んで筒状体の内側に折曲げ、２重に折り込んだサイドフラップの厚味を利用して紙管の支持点を筒状体の内側にできるだけ移動させ、衣類の荷重に対する該紙管の撓みを小さく抑える。
【００１７】
【実施例】
以下、本発明の実施例を図により説明する。図１は、本発明の一実施例に係るハンガーボックスを示す斜視図、図２は本発明に係るハンガボックスの梱包状体を示す斜視図である。
【００１８】
図において本発明に係るハンガーボックスは、筒状体１とハンガー部５とを組合せてなるものである。
【００１９】
筒状体１は、ハンガー部５に吊り下げられた衣類を収納する断面矩形の有底中空体であり、上端開口部Ａに対をなす前フラップ６ａと後フラップ６ｂとを有している。対をなす前フラップ６ａと後フラップ６ｂとは、筒状体１の上端開口部Ａの対向縁１ｄ，１ｄに付設され、筒状体１の上端開口部Ａを封止するものである。尚、筒状体１は未使用状態では折り畳まれている。また筒状体１の対向する側面部には、取手用の孔１ｇが設けられている。
【００２０】
ハンガー部５は、筒状体１の上部空間内に吊下支持されるものであり、サイドフラップ７ａと７ｂとの対と、紙管９とを有している。
【００２１】
対をなすサイドフラップ７ａ，７ｂは、筒状体１の上端開口部Ａの対向縁１ｅ，１ｅに付設され、図５〜図７に示すように筒状体１の内側に折り曲げられるものであり、紙管支持用の切込み８ａを有している。実施例に示すサイドフラップ７ａ，７ｂは、図３，図５〜図７に示すように３本の折曲線Ｌ１，Ｌ２，Ｌ３に沿って３重に折り込められて筒状体１の内側に折り曲げられるようになっており、紙管支持用切込み８ａは、３重に折り込まれた対をなすサイドフラップ７ａ，７ｂに渡って設けられている。
【００２２】
尚、実施例においてサイドフラップ７ａ，７ｂは、３重に折り込むようにしたが、少なくとも２重以上であれば、その折り込み回数はいずれの回数でもよく、その折り込む回数を増すことにより、サイドフラップ７ａ，７ｂによる後述の紙管９の支持点が筒状体１の内側に移動し、紙管９の撓みを小さく抑えることが可能となる。またサイドフラップ７ａ，７ｂの折り込み部分の外側に舌片を有し、この舌片の厚味を利用して紙管９の支持点が筒状体１の内側にさらに移動するようにしてもよい。
【００２３】
紙管９は、図１及び図３に示すように筒状体１の内側に折り曲げられたサイドフラップ７ａ，７ｂの紙管支持用切込み８ａに端部９ａが嵌合されて対をなすサイドフラップ７ａ，７ｂ間に横架され、ハンガー１０のフック１０ａが引掛けられるものである。尚、紙管９は細長い板紙を螺旋状に巻いて作られたものである。
【００２４】
さらに筒状体１、及び紙管９を除くハンガー部５とは、段ボールで構成されている。ここに段ボールは、表裏面に使用されるライナーと、段形に型付けされて立体構造の媒体となる中心厚紙とからなる構造のものである。
【００２５】
また対をなす前フラップ６ａと後フラップ６ｂとは図４に示すように、前端縁が折曲線Ｌ４に沿って折曲げられてサイドフラップ７ａ，７ｂの差込溝８ｂに掛止されるようになっている。
【００２６】
また筒状体１の正面側に位置する前フラップ７ａが付設された端面部１ｆが斜めの折曲線Ｌ５に沿って外側に横向きに折曲げられ、該端面部１ｆが開閉するようになっている。斜め折曲線Ｌ５は左側上端から右側途中まで右下りに設けられており、箱の保形力を増すようになっている。尚、斜め折曲線Ｌ５は右側上端から左側途中まで左下りに設けて、箱の保形力を増すようにしてもよい。
【００２７】
実施例において、本発明に係るハンガーボックスに衣類等を収納するには図５に示すように、まず折り畳まれていた筒状体１を箱型形状に押し拡げ、箱型形状をなす筒状体１の底部を封止する。
【００２８】
図５〜図８に示すようにサイドフラップ７ａ，７ｂを折曲線Ｌ１，Ｌ２，Ｌ３に沿って内側に３重に折り込み、これを筒状体１の内側に密着させてあてがう。この場合にサイドフラップ７ａ，７ｂに設けた紙管支持用溝８ａ及び差込溝８ｂは、底部が下方に位置し、上端が開放された向きに配置される。また図に示すように前フラップ６ａが付設された端面部１ｆは、斜めの折曲線Ｌ５に沿って外側に横向きに折曲げられ、筒状体１の正面側が開放されている。
【００２９】
次に後フラップ６ｂの前端縁６ｄを折曲線Ｌ４に沿って折り曲げ、これを対をなすサイドフラップ７ａ，７ｂの差込溝８ｂ内に嵌合掛止する。この場合、後フラップ６ｂの縦溝６ｄにサイドフラップ７ａ，７ｂの差込溝８ｂの底部が嵌合し、サイドフラップ７ａ，７ｂが確実に定位置に固定される。
【００３０】
次に図９及び図１０に示すように、紙管９の両端９ａ，９ａを対をなすサイドフラップ６ａ，６ｂの紙管支持用溝８ａにそれぞれ嵌合させ、紙管９を対をなすサイドフラップ６ａ，６ｂ間に横架させる。この場合、筒状体１の上端開口部Ａが外側に変形することを阻止するため、テープＴを張り付けるようにしてもよい。
【００３１】
この状態で衣類を吊り下げたハンガー１０を筒状体１の正面側から挿入し、ハンガー１０のフック１０ａを紙管９に引掛け、これを紙管９に沿って横移動させて次々と衣類のハンガー１０を紙管９に引掛ける（図１参照）。
【００３２】
図１０に示すように衣類の収納作業が終了した後、前フラップ６ｂが付設された端面部１ｆを折曲線Ｌ５に沿って起立させ、前フラップ６ｂの前端縁６ｃを折曲線Ｌ４に沿って折り込み、これを対をなすサイドフラップ７ａ，７ｂの差込溝８ｂ内に嵌合掛止させる。この場合、前フラップ６ｂは紙管９を覆ってサイドフラップ７ａ，７ｂの差込溝８ｂ内に嵌合掛止し、前フラップ６は縦溝６ｄにサイドフラップ７ａ，７ｂの差込溝８ｂの底部が嵌合し、サイドフラップ７ａ，７ｂが確実に定位置に固定される。
【００３３】
【発明の効果】
以上説明したように本発明によれば、紙管を支えるサイドフラップを筒状体の内側に折り込むことにより、荷重が加わるハンガーボックスのハンガー吊下部分に補強を施すことができ、ハンガーボックスの素材の板厚を厚くすることなく、衣類の荷重に耐え得る構造とすることができるとともに、軽量化を図ることができる。
【００３４】
さらにハンガーボックスの素材に段ボールを用いることにより、ハンガーボックス全体が紙製となり、従来のように廃棄処分する際に廃棄対象毎に多種類に分別する必要がなく、廃棄処分を容易に行うことができ、かつ紙製のハンガーボックスを再生資源として用いることができる。
【００３５】
またサイドフラップの折り込み回数を増すことにより、紙管の支持点を筒状体の内側に移動させることができ、紙管の撓みに小さく抑えることができ、衣類を確実に吊下状態で搬送することができる。
【００３６】
また前フラップが付設された筒状体の端面部を斜めの折曲線に沿って横向きに折り曲げるようにしたため、筒状体の端面部が前方に張り出すことがなく、衣類の出入れに支障を与えることがなく、しかも、紙管が筒状体の上端開口部に露出しているため、腰をかがめることなく、作業をしている姿勢のまま、ハンガーを紙管に着脱させることができ、作業効率を向上できる。
【００３７】
また、前フックを付設した端面部が斜めの折曲線に沿って折り曲げられているため、箱の保型性が良く、かつ箱型強度を向上できる。
【図面の簡単な説明】
【図１】本発明の一実施例を示す斜視図である。
【図２】梱包状態を示す斜視図である。
【図３】紙管がサイドフラップに嵌合した状態を示す断面図である。
【図４】前フラップ及び後フラップとサイドフラップとの嵌合状態を示す断面図である。
【図５】本発明の一実施例に係るハンガーボックスによる梱包状態を工程順に示す斜視図である。
【図６】本発明の一実施例に係るハンガーボックスによる梱包状態を工程順に示す斜視図である。
【図７】本発明の一実施例に係るハンガーボックスによる梱包状態を工程順に示す斜視図である。
【図８】本発明の一実施例に係るハンガーボックスによる梱包状態を工程順に示す斜視図である。
【図９】本発明の一実施例に係るハンガーボックスによる梱包状態を工程順に示す斜視図である。
【図１０】本発明の一実施例に係るハンガーボックスによる梱包状態を工程順に示す斜視図である。
【図１１】従来のハンガーボックスを示す斜視図である。
【図１２】従来のハンガーボックスを示す斜視図である。
【符号の説明】
１  筒状体
５  ハンガー部
６ａ  前フラップ
６ｂ  後フラップ
７ａ，７ｂ  サイドフラップ
８ａ  紙管支持用切込み
８ｂ  差込溝
９  紙管
【図１】
0003551271.tif 000002
【図２】
0003551271.tif 000003
【図３】
0003551271.tif 000004
【図４】
0003551271.tif 000005
【図５】
0003551271.tif 000006
【図６】
0003551271.tif 000007
【図７】
0003551271.tif 000008
【図８】
0003551271.tif 000009
【図９】
0003551271.tif 000010
【図１０】
0003551271.tif 000011
【図１１】
0003551271.tif 000012
【図１２】
0003551271.tif 000013